(57)【要約】【課題】  容易に製造することのできる構造となる植栽擁壁を提供するものである。【解決手段】  底板１１と、この底板１１から立設され、外面１２ａから土留面１２ｂに貫通する窓１３の形成された壁体１２と、下方が開放され、窓１３の土留面１２ｂ側外方に植栽空間３０を形成すべくこの窓１３全体を被うように壁体１２の土留面１２ｂに取り付けられたカバー体２０とを備えた構成となる。【選択図】  図３
2005146517.tif 000002
【特許請求の範囲】
【請求項１】
土留めを行なうとともに土留めした土に植栽可能にした植栽擁壁において、
外面から土留面に貫通する窓の形成された壁体と、
下方が開放され、上記窓の土留面側外方に植栽空間を形成すべく該窓全体を被うように上記壁体の土留面に取り付けられたカバー体とを備えたことを特徴とする植栽擁壁。
【請求項２】
上記カバー体は、背面壁及び該背面壁から立設された複数の側面壁を有し、該背面壁の下端縁が上記土留面から離間した構造となることを特徴とする請求項１記載の植栽擁壁。
【請求項３】
上記背面壁は、上端縁が上記壁体の土留面に当接し、該上端縁から下端縁に向かって延びる湾曲部分を有することを特徴とする請求項２記載の植栽擁壁。
【請求項４】
上記カバー体は、締結具にて上記壁体の土留面に取り付けられたことを特徴とする請求項１乃至３記載のいずれかに記載の植栽擁壁。
【請求項５】
上記カバー体は、接着剤にて上記壁体の土留面に取り付けられたことを特徴とする請求項１乃至３記載のいずれかに記載の植栽擁壁。
【発明の詳細な説明】
【技術分野】
【０００１】
本発明は、土留め用の擁壁に係り、詳しくは、緑化のための植栽が可能となる擁壁に関する。
【背景技術】
【０００２】
従来、緑化のための植栽が可能となる擁壁が知られている（例えば、特許文献１）。この従来の植栽擁壁は、図８及び図９に示すように構成されている。なお、図８は、植栽擁壁Ａの斜視図であり、図９は、植栽擁壁Ａの断面図である。
【０００３】
図８及び図９に示す植栽擁壁Ａでは、水平な底板１の前面側端縁に高さの低い下段土留板２が垂直に立設固定されている。背面側にテーパー面３を有する直角三角形状の扶壁４が複数枚等間隔で、底板１と下段土留板２とに直行して固定されると共に、下段土留板２の上方部より等間隔で一定長さの複数本の補強梁５が水平に背面側へ突出している。また、各補強梁５の背面側端縁に、各扶壁４のテーパー面３と平行になるように各扶壁４の中間部を貫通した第１段目の上段土留板６の前面側下方部が固定され、第１段目の上段土留板６の上方部より等間隔で一定の長さの複数本の補強梁５が水平方向に背面側へ突出している。更に、これら補強梁５の背面側端縁には、各扶壁４のテーパー面３上に固定された第２段目の上段土留板７の前面側下方部が固定されると共に、第１段目の上段土留板６の下端６ａが下段土留板２の上端２ａより下方位置に、また、第２段目の上段土留板７の下端７ａが第１段目の上段土留板６の上端６ｂより下方位置に、それぞれ位置せしめられ、第１、第２段目の上段土留板６、７が互いに平行に下段土留板２に対して傾斜した状態で鉛直方向に重なって配設されている。下段土留板２と第１段目の上段土留板６との間及び第１段目の上段土留板６と第２段目の上段土留板７との間にはそれぞれ植栽可能な間隔部８が形成されている。
【０００４】
このような構造の植栽擁壁Ａは、第１段目及び第２段目の上段土留板６、７及び下段土留板２によって土手、崖等の斜面の土を受けるように敷設され、その斜面の土留めがなされる。このように上記植栽擁壁Ａが敷設された状態で、第１段目の上段土留板６と第２段目の上段土留板７との間の間隔部８及び第１段目の上段土留板６と下段土留板２との間の間隔部８のそれぞれに土を盛り込み、各間隔部８の上方の空間部に植物の葉、枝、花等が配置されるようにその各間隔部８に盛り込まれた土に植栽がなされる。また、第１段目及び第２段目の上段土留板６、７の先端部、下段土留板２の面、各扶壁４の側端面がそれぞれ揃っているので、植栽擁壁Ａの前面に突出する部分がない。このため、この植栽擁壁Ａを道路の間際に敷設したとしても、通行の邪魔になることがない。
【０００５】
【特許文献１】特開平６−３４１１５３号公報
【発明の開示】
【発明が解決しようとする課題】
【０００６】
ところで、土留めに利用される植栽擁壁Ａは、通常、コンクリートの型成型によって製造される。
しかしながら、前述したような構造（図７及び図８参照）となる従来の植栽擁壁Ａは、植栽のための空間を形成するための１段目及び２段目の上段土留板６、７、下段土留板２、底板１、扶壁４等が一体的に構成されているため、コンクリートの型成型が極めて困難であり、量産性に問題がある。
【０００７】
本発明は、前述したような従来の問題点を解決するためになされたもので、容易に製造することのできる構造となる植栽擁壁を提供するものである。
【課題を解決するための手段】
【０００８】
本発明に係る植栽擁壁は、土留めを行なうとともに土留めした土に植栽可能にした植栽擁壁において、外面から土留面に貫通する窓の形成された壁体と、下方が開放され、上記窓の土留面側外方に植栽空間を形成すべく該窓全体を被うように上記壁体の土留面に取り付けられたカバー体とを備えた構成となる。
【０００９】
このような構成によれば、壁体とは別体となるカバー体を当該壁体の土留面に取り付けることにより植栽擁壁が形成されることとなる。壁体の土留面にて土手、崖等の土を受けるようにこの植栽擁壁を敷設した状態では、壁体の窓全体を被い下方が開放するカバー体の当該下方部分には土が至るものの、そのカバー体により、該窓の上記土留面外方に形成された植栽空間への土の侵入が阻止される。そして、上記カバー体の上記下方部分に至った土に上記窓を通して更に必要に応じて土を盛ることにより、その土に上記植栽空間に延びる植物を植えることができる。
【００１０】
また、本発明に係る植栽擁壁は、上記カバー体が、背面壁及び該背面壁から立設された複数の側壁を有し、該背面壁の下端縁が上記土留面から離間した構造となる構成とすることができる。
このような構成により、カバー体の下方が開放された構造となると共に、そのカバー体の背面壁及び複数の側壁によって上記植栽空間への土の侵入を阻止することが可能となる。
【００１１】
更に、本発明に係る植栽擁壁は、上記背面壁が、上端縁が上記壁体の土留面に当接し、該上端縁から下端縁に向かって延びる湾曲部分を有する構成とすることができる。
上記湾曲部分は、背面壁の上端縁から下端縁までの全体であっても、また、上端縁から下端縁に至る途中までの部分であってもよい。
【００１２】
また、本発明に係る植栽擁壁は、上記カバー体が、締結具にて上記壁体の土留面に取り付けられた構成とすることができる。
このような構成により、カバー体を壁体に確実に取り付けることが可能となる。
【００１３】
更に、本発明に係る植栽擁壁は、上記カバー体が、接着剤にて上記壁体の土留面に取り付けられた構成とすることができる。
このような構成により、当該植栽擁壁の製造時あるいはその敷設時にカバー体を壁体に容易に取り付けることができる。
【発明の効果】
【００１４】
本発明によれば、壁体という比較的単純な構造となり得る擁壁部分に別体となるカバー体を取り付けるという比較的容易な作業にて植栽擁壁が形成されることとなるので、カバー体が植栽空間を形成するように壁体から突出する構造であっても、その植栽擁壁を比較的容易に製造することができるようになる。
【発明を実施するための最良の形態】
【００１５】
以下、本発明の実施の形態について、図面に基づいて説明する。
本発明の実施の形態に係る植栽擁壁は、図１に示すように、コンクリートの型成型により製造される。
【００１６】
図１において、成型機は、固定型１１０と移動型１２０とを有する。移動型１２０の型面の所定位置には、発砲スチロール、木枠等により形成された入れ子型１３０が接着等により固定されている。移動型１２０を移動させて移動型１２０と固定型１１０との型締めを行うと、入れ子型１３０の先端面が固定型１１０の型面に圧接される。この状態で、擁壁に対応した空間が成型機に形成される。この空間にコンクリートを流し込み、そのコンクリートが凝固した後に移動型１２０を固定型１１０から離間させ、固定型１１０の型面に残ったコンクリート体を取出すと、そのコンクリート体が図１に示すようにＬ字擁壁１０となる。この場合、入れ子型１３０の位置調整により、どのような位置にも窓１３を形成でき、設計の自由度が向上させられる。
【００１７】
植栽擁壁としてのＬ字擁壁１０は、底板１１と底板１１の一端から立設された壁体１２とを備えた構造となる。壁体１２の所定部位には、入れ子型１３０に対応して、その外面１２ａから土留面１２ｂに貫通する窓１３が形成されている。
Ｌ字擁壁１０の土留面１２ｂには、図２に示すように、窓１３全体を被うカバー体２０がボルト・ナット締めにより取り付けられる。このカバー体２０は、コンクリートにて成型したものであっても、他の材料、例えば、金属あるいは樹脂等どのような材質で形成したものであってもよい。このカバー体２０の壁体１２に対する具体的な取り付けの構造は図３及び図４に示される。なお、図３は、図２におけるＡ−Ａ断面図であり、図４は、図２におけるＢ−Ｂ断面図である。
【００１８】
図３及び図４において、カバー体２０は、湾曲部分２１ａとそれに続くストレート部分２１ｂとからなる背面壁２１の両側端部から側面壁２２ａ、２２ｂが立設された構造となっている。このような構造のカバー体２０が、背面壁２１の上端縁（湾曲部分２１ａの先端縁）及び側面壁２２ａ、２２ｂの背面壁２１と逆側の端面をＬ字擁壁１０における壁体１２の土留面１２ｂに当接させて、壁体１２の窓１３全体を被うように土留面１２ｂに取り付けられる。これにより、背面壁２１の下端縁（ストレート部分２１ｂの先端縁）が壁体１２の土留面１２ｂから離間して下方が開放されるカバー体２０によって囲まれた植栽空間３０が壁体１２の窓１３の土留面１２ｂ側外方に形成される。
【００１９】
カバー体２０の側面壁２２ａ、２２ｂのそれぞれの背面壁２１と逆側の端部にはフランジが形成されており、そのフランジを通したボルト２６とＬ字擁壁１０の壁体１２に予め埋設されたインサートナットとを締結することにより、カバー体２０が前述した状態にて壁体１２の土留面１２ｂに取り付け固定される。なお、図４には、ボルト２６についての締結構造しか示されていないが、図２に示す他のボルト２５、２７も同様にして壁体１２に埋設されたインサートナットと締結される。
【００２０】
前述したようにカバー体２０が取り付けられたＬ字擁壁１０（植栽擁壁）は、例えば、土手等の土留めに用いられる。この場合、図５に示すように、壁体１２の土留面１２ｂ及びカバー体２０の背面壁２１にて土手等の土５０を受けるようにＬ字擁壁１０が敷設される。この状態で、下方が開放するカバー体２０の下方部分には土５０が至るものの、カバー体２０によって囲まれる植栽空間３０への土５０の進入が阻止される。そして、カバー体２０の上記下方部分に至った土に壁体１２の窓１３を通して必要に応じて土を盛ることにより、その土に植栽空間３０に延びる植物が植えられる。
【００２１】
これにより、図６に示すように、Ｌ字擁壁１０における壁体１２の窓１３を通した内部（植栽空間３０）に植栽がなされ、壁体１２の外面１２ａに出張り部分を設けることなくその壁体１２を緑化することができる。このように窓１３の内部に植栽のなされたＬ字擁壁１０を、図７に示すように、複数連結して道路４０（歩道）と土手等との境に敷設することにより、壁面からの出張りにより道路４０の幅が制限されることなく、道路４０を通行する人の目線の高さに植物の配置された人の目に優しい土留擁壁を構築することができる。
【００２２】
尚、壁体1２に形成される窓１３の位置、数、形状は、成型機（図１参照）の移動型１２０に取り付ける入れ子型１３０の位置、数、形状によって任意に設定することができる。
更に、前述した実施の形態では、カバー体２０は、ボルト・ナットにより壁体１２に取り付け固定される構造であったが、他の締結具によって取り付けることも、また、接着剤にて取り付けることも可能である。また、カバー体２０の壁体１２への取り付け作業は、Ｌ字擁壁１０の製造工程中で行うことも、Ｌ字擁壁１０を土手等に対して敷設する際に行うこともできる。
【００２３】
尚また、上記実施の形態においては、Ｌ字擁壁に本発明を適用したが、必ずしもこれに限定されるものではなく、カバー体２０が取り付けられるべき擁壁は、窓１３の形成された壁体１２を備えるものであれば、所謂Ｔ字擁壁、あるいは、ワイヤーで固定する板状の壁体のみで形成された擁壁、積み重ねるブロック状の擁壁等、要するに、土留めする壁体を備えたものであればどのような擁壁にも本発明を適用できることは勿論である。
【産業上の利用可能性】
【００２４】
以上、説明したように、本発明に係る植栽擁壁は、壁体という比較的単純な構造となり得る擁壁部分にカバー体を取り付けるという比較的容易な作業にて製造することができるので、緑化のための植栽が可能となる土留め用の擁壁として有用である。
【図面の簡単な説明】
【００２５】
【図１】本発明の実施の形態に係る植栽擁壁の製造方法を示す図である。
【図２】本発明の実施の形態に係る植栽擁壁の構造を示す斜視図である。
【図３】図２におけるＡ−Ａ断面を示す図である。
【図４】図２におけるＢ−Ｂ断面を示す図である。
【図５】本発明の実施の形態に係る植栽擁壁の敷設状態を示す断面図である。
【図６】本発明の実施の形態に係る植栽擁壁の敷設状態を示す斜視図である。
【図７】本発明の実施の形態に係る植栽擁壁を複数連ねて敷設した状態を示す図である。
【図８】従来の植栽擁壁の構造例を示す斜視図である。
【図９】従来の植栽擁壁の構造例を示す断面図である。
【符号の説明】
【００２６】
１０  Ｌ字擁壁（植栽擁壁）
１１  底板
１２  壁体
１２ａ  外面
１２ｂ  土留面
１３  窓
２０  カバー体
２１  背面壁
２１ａ  湾曲部分
２１ｂ  ストレート部分
２２ａ、２２ｂ  側面壁
２５、２６、２７  ボルト
３０  植栽空間
【図１】
2005146517.tif 000003
【図２】
2005146517.tif 000004
【図３】
2005146517.tif 000005
【図４】
2005146517.tif 000006
【図５】
2005146517.tif 000007
【図６】
2005146517.tif 000008
【図７】
2005146517.tif 000009
【図８】
2005146517.tif 000010
【図９】
2005146517.tif 000011